(57)【要約】      （修正有）【課題】携帯電話機用クリーナーと兼用できるお守りを作り、使用による損耗に伴って更新が図られる、というお守りを提供する。また、携帯電話機用クリーナーと兼用できるお守りとして形成することによって、ただ携行するだけではなく、お守りに触れた時に祈願の成就を念ずる、という新規な使用形態のお守りを提供する。【解決手段】背面部に、図形、模様、文字などによるデザインを表示する携帯電話機のクリーナーにおいて、クリーナー背面部１のデザイン表示を、お守りであることを表す表示２とする。また、携帯電話機用クリーナー兼用のお守りにおいて、クリーナー面にも、図形、模様、文字などによるデザイン表示をする。また、携帯電話機用クリーナー兼用のお守りにおいて、お守りに触れた時に祈願の成就を念ずる、という旨の使用説明書を添付する。【選択図】図１
2007236897.tif 000002
【特許請求の範囲】
【請求項１】
背面部に、図形、模様、文字などによるデザインを表示する携帯電話機のクリーナーにおいて、クリーナー背面部のデザイン表示を、お守りであることを表す表示としたことを特徴とする携帯電話機用クリーナー兼用のお守り。
【請求項２】
携帯電話機用クリーナーのクリーナー面にも、図形、模様、文字などによるデザイン表示をしたことを特徴とする請求項１記載の携帯電話機用クリーナー兼用のお守り。
【請求項３】
お守りに触れた時に祈願の成就を念ずる、という旨の使用説明書を添付したことを特徴とする請求項１記載の携帯電話機用クリーナー兼用のお守り。
【発明の詳細な説明】
【技術分野】
【０００１】  本発明は、携帯電話機用クリーナーと兼用できるお守りに関するものである。
【背景技術】
【０００２】  お守り札と兼用できる携帯仏壇に関する先行技術として「お守り札兼用携帯仏壇」がある（例えば、特許文献１参照）。
また、携帯電話機の液晶画面用クリーナーに関する先行技術として「液晶画面用クリーナー」がある（例えば、特許文献２参照）。
また、携帯電話機用クリーナーに、電波に反応して点滅する機能を付加した先行技術として「光る携帯電話クリーナーストラップ」がある（例えば、特許文献３参照）。
【特許文献１】  特開平８−１８７１５８号公報（請求項１〜２、図１〜６）
【特許文献２】  実登３０９３２２６号公報（請求項１〜６、図１〜４）
【特許文献３】  実登３０９８３８８号公報（請求項１、図１〜２）
【発明の開示】
【発明が解決しようとする課題】
【０００３】  従来のお守りには有効期限がなく、また、使用による損耗も生じないので何時までも使用され続け、更新を図ることが困難であるという実状があった。
また、従来のお守りは、財布やパス入れなどに収納したまま、あるいは、バッグや携帯電話などに吊り下げたまま、つまり、ただ携行するというのが通常の使用形態であった。
本願発明は、上記実状に鑑み、携帯電話機用クリーナーと兼用できるお守りを作り、使用による損耗に伴って更新が図られる、というお守りを提供しようとするものである。
また、携帯電話機用クリーナーと兼用できるお守りとして形成することによって、ただ携行するだけではなく、お守りに触れた時に祈願の成就を念ずる、という新規な使用形態のお守りを提供しようとするものである。
さらに、クリーナー面にも、図形、模様、文字などによるデザインを表示することによって、クリーナー面の損耗の度合いをチェックしやすいようにして、更新の促進を図ろうとするものである。
また、お守りに触れた時に祈願の成就を念ずる、という旨の使用説明書を添付することによって、本願の課題とする新規な使用形態の実行を促進させようとするものである。
【課題を解決するための手段】
【０００４】  上記課題を解決するため、本願発明の携帯電話機用クリーナー兼用のお守りは、背面部に、図形、模様、文字などによるデザインを表示する携帯電話機のクリーナーにおいて、クリーナー背面部のデザイン表示を、お守りであることを表す表示とする。【０００５】  また、請求項１記載の携帯電話機用クリーナー兼用のお守りにおいて、クリーナー面にも、図形、模様、文字などによるデザイン表示をする。【０００６】  また、請求項１記載の携帯電話機用クリーナー兼用のお守りにおいて、お守りに触れた時に祈願の成就を念ずる、という旨の使用説明書を添付する。
【発明の効果】
【０００７】  本願の携帯電話機用クリーナー兼用のお守りは、クリーナー背面部のデザイン表示を、お守りであることを表わす表示に変えるだけで達成できる。したがって、クリーナーとお守りとを兼用できる付加価値商品を、製造単価を上げることなく提供することができるので好都合である。【０００８】  また、携帯電話機用クリーナー兼用のお守りは、クリーナー面などの損耗や汚損などによりクリーナー機能が劣化することにより更新が図られる。したがって、クリーナーとお守りとを兼用にすることによって、更新に伴う再取得の可能性が高められ、お守りの更新促進に寄与することができるので好都合である。【０００９】  また、携帯電話機用クリーナー兼用のお守りは、お守りに触れた時に祈願の成就を念ずる新規な使用形態のお守りとして提供することができる。この場合、お守りに触れる行為が液晶画面の清浄作業をする上での必然的行為であると共に、お守りに触れて祈願の成就を念じながら、同時に液晶画面の清浄作業をすることができるので好都合である。【００１０】  請求項２のように、携帯電話機用クリーナーのクリーナー面にも、図形、模様、文字などによるデザイン表示をした場合、クリーナー面の損耗の度合いを、表示したデザインのかすれ具合などでチェックできるようになり、更新の促進を円滑にすることができる。また、クリーナー面にロゴマークやトレードマークなどを表示することによって、携帯電話機用クリーナー兼用のお守りを好適な宣伝媒体材として転用することができる、という効果を伴う。【００１１】  請求項３のように、お守りに触れた時に祈願の成就を念ずる、という旨の使用説明書を添付した場合、お守りに触れながら祈願の成就を念ずるという新規な使用形態のお守りを提供するということに留まらず、その使用形態の実行を円滑に促進させることができる。
【発明を実施するための最良の形態】
【００１２】  本願請求項１の携帯電話機用クリーナー兼用のお守りは、背面部に、図形、模様、文字などによるデザインを表示する携帯電話機のクリーナーにおいて、クリーナー背面部のデザイン表示を、お守りであることを表す表示とすることを特徴とするものである。
携帯電話機用クリーナーは、携帯電話機の液晶画面を清浄にするための清浄具であって、携帯電話機のストラップなどに取り付けて装飾具的に用いられる。
したがって、アクセサリー性を高めるため、クリーナー背面部には、図形、模様、文字などによる各種の工夫されたデザインが施される。
本願では、クリーナー背面部のデザイン表示として、お守りであることを表す表示が施される。
お守りであることを表す表示とは、例えば、お守り、祈願札、護符など、お守りであることを表現する語句の表示のほか、交通安全祈願、無病息災祈願など、具体的な祈願の意を表す文字の表示、あるいは、具体的な祈願の意を図案化した図案、例えば、「吾只叶知」の文字を銭型に図案化した図案、などの表示をいう。これらの表示に加え、寺社名や寺社に縁のある図案、例えば、仏像や火焔、鳥居や御幣などの図案が適宜付加して表示される。
なお、表示にはインクや塗料などによる表示のほか凹凸による表示などを含む。
クリーナーには、携帯電話機のストラップに取り付けるための係止具取り付け部が設けられると共に、係止具取り付け部に係止具が取り付けられる。
係止具には、例えば、カラビナ、ナスカン、ボールチェーンなどが用いられる。
クリーナーは、液晶画面を傷つけないよう柔軟な素材で形成される。
柔軟な素材としては、例えば、ポリウレタン、スポンジ、不織布、人工皮革、合成繊維、樹脂綿、などのクリーナー用素材を用いることができる。
なお、本願でのクリーナー面とは、清浄作業を行うための側をいい、その反対側をクリーナー背面部という。また、クリーナー面とクリーナー背面部を異なる素材で形成する形態も選択できる。【００１３】  また、本願請求項２のように、携帯電話機用クリーナーのクリーナー面にも、図形、模様、文字などによるデザイン表示をし、クリーナー面の損耗の度合いをチェックしやすいようにする。この場合、クリーナー面にロゴマークやトレードマークなどを表示し、携帯電話機用クリーナー兼用のお守りを宣伝媒体材として転用する形態を選択することもできる。【００１４】  また、本願請求項３のように、携帯電話機用クリーナー兼用のお守りに、お守りに触れた時に祈願の成就を念ずる、という旨の使用説明書を添付する。
使用説明書の添付形態には、包装袋などに使用説明書を印刷する方法などが含まれる。
【実施例１】
【００１５】    以下図面に基づいて実施例を説明する。
図１は、請求項１よる携帯電話機用クリーナー兼用のお守りの背面部側の平面図である。
クリーナー背面部１に、お守りであることを表す表示２として、具体的な祈願の意を表す文字の表示としての「交通安全」の文字と神社名としての「○○神社」の文字がプリント表示されている。
クリーナーＡには、携帯電話機のストラップに取り付けるための係止具取り付け部３が設けられている。
係止具取り付け部３には係止具４としてのカラビナが付けられている。
クリーナーは、液晶画面を傷つけないよう柔軟な素材として、ポリウレタンが用いられている。
【実施例２】
【００１６】  図２は、請求項２よる携帯電話機用クリーナー兼用のお守りのクリーナー面側の平面図である。
クリーナー面５には、デザイン表示としてのロゴマーク６が表示されている。
クリーナーＡには、携帯電話機のストラップに取り付けるための係止具取り付け部３が設けられている。
係止具取り付け部３には係止具４としてのカラビナが付けられている。
クリーナーは、液晶画面を傷つけないよう柔軟な素材として、ポリウレタンが用いられている。
【実施例３】
【００１７】  図３は、請求項３よる携帯電話機用クリーナー兼用のお守りの背面部側の平面図と包装袋の平面図である。
クリーナー背面部１にお守りであることを表す表示２として、具体的な祈願の意を表す文字の表示としての「交通安全」の文字と神社名としての「○○神社」の文字がプリント表示されている。
クリーナーＡには、携帯電話機のストラップに取り付けるための係止具取り付け部３が設けられている。
係止具取り付け部３には、係止具４としてのカラビナが付けられている。
クリーナーは、液晶画面を傷つけないよう柔軟な素材として、ポリウレタンが用いられている。
包装袋Ｂには、お守りに触れた時に祈願の成就を念ずる、という旨の使用説明書７が印刷されている。
【図面の簡単な説明】
【００１８】
【図１】請求項１よる携帯電話機用クリーナー兼用のお守りの背面部側の平面図である。
【図２】請求項２よる携帯電話機用クリーナー兼用のお守りのクリーナー面側の平面図である。
【図３】請求項３よる携帯電話機用クリーナー兼用のお守りの背面部側の平面図と包装袋の平面図である。
【符号の説明】
【００１９】      １  クリーナー背面部
２  お守りであることを表す表示
３  係止具取り付け部
４  係止具
５  クリーナー面
６  ロゴマーク
７  使用説明書
Ａ  クリーナー（携帯電話機用クリーナー兼用のお守り）
Ｂ  包装袋
【図１】
2007236897.tif 000003
【図２】
2007236897.tif 000004
【図３】
2007236897.tif 000005